(57)【要約】【課題】葬儀の前または後において必要とされる死亡に伴う届け出・諸手続きの全体を事前に家族等に認識させることができるとともに、当該届け出・諸手続きを実際に遺族等が行うときにその手引きをすることができる卓上カレンダーを提供する。【解決手段】自立可能な支持台２に綴じ具３を介してカレンダー４が支持されてなる卓上カレンダー１において、カレンダー４は、葬儀の前または後において必要とされる死亡に伴う届け出・諸手続き一覧が裏面に掲載されてなる表紙シート３１と、表紙シート３１に掲載された前記届け出・諸手続き一覧中の所定項目に関する具体的な情報が裏面に掲載されてなる暦シート３２とを備えてなり、前記届け出・諸手続きの全体を表紙シート３１の裏面を参照することで事前に把握するとともに、暦シート３２の裏面を参照することで前記届け出・諸手続きに関する具体的な情報を確認するように構成する。【選択図】図２
2017189882.tif 000002
【特許請求の範囲】
【請求項１】
自立可能な支持台にカレンダーが支持されてなる卓上カレンダーにおいて、
前記カレンダーは、葬儀の前または後において必要とされる死亡に伴う届け出・諸手続き一覧が掲載されてなる第１のシートと、暦年の各月に対応して設けられ、少なくとも１ヶ月単位の暦日が表面に掲載される一方で、前記第１のシートに掲載された前記届け出・諸手続き一覧中の所定項目に関する具体的な情報が裏面に掲載されてなる第２のシートとを備えてなり、葬儀の前または後において必要とされる死亡に伴う届け出・諸手続きの全体を前記第１のシートを参照することで事前に把握するとともに、前記第２のシートの裏面を参照することでそれら届け出・諸手続きに関する具体的な情報を確認するように構成したことを特徴とする卓上カレンダー。
【請求項２】
前記第２のシートに掲載された前記暦日のそれぞれに対応させて空白部を有する升目を前記第２のシートに設け、前記カレンダーは、前記第２のシートにおける前記升目の前記空白部に納まる大きさで法事内容を示す法事シールが剥離可能に貼り付けられてなる法事シールシートを更に備えることを特徴とする請求項１に記載の卓上カレンダー。
【請求項３】
前記支持台は、中央折曲線に沿って二つ折りに折り畳まれる状態と平坦に展開される状態とを切り替え可能な底板部と、前記底板部に連設され、前記底板部が二つ折りに折り畳まれた状態のときに上下に重ね合わされる前側板部および後側板部と、前記後側板部の左右両側に帯状板部を介して連設される観音開き構造の一対の扉片部とを備えてなり、前記底板部を二つ折りに折り畳み、前記後側板部上に前記前側板部を重ね合わせて前記支持台を扁平な形態にするとともに、前記前側板部上に前記カレンダーを載置してそのカレンダーを前記一対の扉片部で抱持するようにしたことを特徴とする請求項１または２に記載の卓上カレンダー。
【請求項４】
前記支持台は、中央折曲線に沿って二つ折りに折り畳まれる状態と平坦に展開される状態とを切り替え可能な底板部と、前記底板部に連設され、前記底板部が平坦に展開された状態のときにその底板部に対し所定の鋭角を成して起立されて上辺部同士が突き合わされる前側板部および後側板部と、前記底板部の一部を所定形状に切り込むことで形成され、前記底板部が平坦に展開された状態のときに前記中央折曲線を横切るようにその底板部に対し起立可能なフラップ片部とを備えてなり、前記底板部を平坦な状態に展開し、その底板部に対し所定の鋭角を成し、かつ上端部同士を突き合せるように前記前側板部および前記後側板部をそれぞれ起立させて前記支持台を三角筒状の形態にするとともに、平坦に展開された状態の前記底板部に対し前記フラップ片部を起立させるようにしたことを特徴とする請求項１または２に記載の卓上カレンダー。
【発明の詳細な説明】
【技術分野】
【０００１】
本発明は、例えば机やテーブル等の上に載置して使用される卓上カレンダーに関し、特に、葬儀の前または後において必要とされる死亡に伴う届け出・諸手続きの手引書としての機能を有する卓上カレンダーに関するものである。
【背景技術】
【０００２】
従来、自分の足跡や、人生の思い出、子供・縁者に対する希望等を綴ることができる遺言ノートが提案されている（特許文献１参照）。この遺言ノートは、遺言の方式説明や、各地相談所・公証人役場への連絡手段等が掲載されたものであり、更に、墓の世話や法事、保険会社の連絡先などを記載することができるため、遺族にとっても利用価値が高いものとなっている。
【先行技術文献】
【特許文献】
【０００３】
【特許文献１】特開２００６−２２４３５３号公報
【０００４】
ところで、上記の遺言ノートは、本人が死に向かって準備する段階で、本人の死後に遺族が困らないように必要事項を書き留めることを主たる目的とするものである。このため、本人の死後で葬儀の前または後において必要とされる死亡に伴う届け出・諸手続き（以下、「葬儀前後の諸手続き等」と略称する。）については遺族等が主として行うものであるとして、遺言ノートに葬儀前後の諸手続き等についての細かな指示を書き留めて置くようなことはあまり行われないのが一般的である。
【０００５】
仮に、葬儀前後の諸手続き等についての説明を例えばノート末尾に添付したような遺言ノートがあったとしても、遺言ノートは、通常、本人の生前には自分以外の人の目の届かない所に収納されることが多いため、家族等は葬儀前後の諸手続き等の全体を事前に認識する機会を得ることができないという問題点がある。また、本人の死後に遺言ノートを発見しても、遺言の内容に関心が集中してしまい、葬儀前後の諸手続き等についての説明が遺言ノートに記載されていることすら気づかず、遺言ノートが葬儀前後の諸手続き等の手引書として機能せずに、葬儀前後の諸手続き等をスムーズに行うことができないという問題点がある。
【発明の概要】
【発明が解決しようとする課題】
【０００６】
本発明は、前述のような問題点に鑑みてなされたもので、葬儀の前または後において必要とされる死亡に伴う届け出・諸手続きの全体を事前に家族等に認識させることができるとともに、当該届け出・諸手続きを実際に遺族等が行うときにその手引きをすることができる卓上カレンダーを提供することを目的とするものである。
【課題を解決するための手段】
【０００７】
本発明者は、いつも身近に置かれる卓上カレンダーに着目し、葬儀の前または後において必要とされる死亡に伴う届け出・諸手続き一覧やそれら一覧中の所定項目に関する具体的な情報をカレンダーに掲載するようにすれば、上記課題を解決するこができることを見出し、本発明を完成させるに至ったものである。
【０００８】
要するに、前記目的を達成するために、本発明による卓上カレンダーは、
自立可能な支持台にカレンダーが支持されてなる卓上カレンダーにおいて、
前記カレンダーは、葬儀の前または後において必要とされる死亡に伴う届け出・諸手続き一覧が掲載されてなる第１のシートと、暦年の各月に対応して設けられ、少なくとも１ヶ月単位の暦日が表面に掲載される一方で、前記第１のシートに掲載された前記届け出・諸手続き一覧中の所定項目に関する具体的な情報が裏面に掲載されてなる第２のシートとを備えてなり、葬儀の前または後において必要とされる死亡に伴う届け出・諸手続きの全体を前記第１のシートを参照することで事前に把握するとともに、前記第２のシートの裏面を参照することでそれら届け出・諸手続きに関する具体的な情報を確認するように構成したことを特徴とするものである（第１発明）。
【０００９】
本発明において、前記第２のシートに掲載された前記暦日のそれぞれに対応させて空白部を有する升目を前記第２のシートに設け、前記カレンダーは、前記第２のシートにおける前記升目の前記空白部に納まる大きさで法事内容を示す法事シールが剥離可能に貼り付けられてなる法事シールシートを更に備えるのが好ましい（第２発明）。
【００１０】
本発明において、前記支持台は、中央折曲線に沿って二つ折りに折り畳まれる状態と平坦に展開される状態とを切り替え可能な底板部と、前記底板部に連設され、前記底板部が二つ折りに折り畳まれた状態のときに上下に重ね合わされる前側板部および後側板部と、前記後側板部の左右両側に帯状板部を介して連設される観音開き構造の一対の扉片部とを備えてなり、前記底板部を二つ折りに折り畳み、前記後側板部上に前記前側板部を重ね合わせて前記支持台を扁平な形態にするとともに、前記前側板部上に前記カレンダーを載置してそのカレンダーを前記一対の扉片部で抱持するようにすることができる（第３発明）。
【００１１】
本発明において、前記支持台は、中央折曲線に沿って二つ折りに折り畳まれる状態と平坦に展開される状態とを切り替え可能な底板部と、前記底板部に連設され、前記底板部が平坦に展開された状態のときにその底板部に対し所定の鋭角を成して起立されて上辺部同士が突き合わされる前側板部および後側板部と、前記底板部の一部を所定形状に切り込むことで形成され、前記底板部が平坦に展開された状態のときに前記中央折曲線を横切るようにその底板部に対し起立可能なフラップ片部とを備えてなり、前記底板部を平坦な状態に展開し、その底板部に対し所定の鋭角を成し、かつ上端部同士を突き合せるように前記前側板部および前記後側板部をそれぞれ起立させて前記支持台を三角筒状の形態にするとともに、平坦に展開された状態の前記底板部に対し前記フラップ片部を起立させるようにすることができる（第４発明）。
【発明の効果】
【００１２】
本発明の卓上カレンダーによれば、常日頃から見る機会のあるカレンダーが第１のシートと第２のシートとを備えてなるものとされ、葬儀の前または後において必要とされる死亡に伴う届け出・諸手続きの全体を第１のシートを参照することで事前に把握するとともに、第２のシートの裏面を参照することでそれら届け出・諸手続きについての具体的な情報を確認するように構成されているので、葬儀の前または後において必要とされる死亡に伴う届け出・諸手続きの全体を事前に家族等に認識させるとともに、それら届け出・諸手続きを実際に遺族等が行うときにその手引きをすることができる。
【００１３】
この場合、第２のシートに掲載された暦日のそれぞれに対応させて空白部を有する升目を第２のシートに設け、カレンダーは、第２のシートにおける升目の空白部に納まる大きさで法事内容を示す法事シールが剥離可能に貼り付けられてなる法事シールシートを更に備えることにより、第２のシートに掲載された暦日における特定の日表示を包含する升目の空白部に対して法事内容を手書きしなくても、該空白部に対して法事シールを貼り付けるだけで簡単に法事内容を表示することができるという効果がある。
【００１４】
また、支持台は、中央折曲線に沿って二つ折りに折り畳まれる状態と平坦に展開される状態とを切り替え可能な底板部と、底板部に連設され、底板部が二つ折りに折り畳まれた状態のときに上下に重ね合わされる前側板部および後側板部と、後側板部の左右両側に帯状板部を介して連設される観音開き構造の一対の扉片部とを備えてなり、底板部を二つ折りに折り畳み、後側板部上に前側板部を重ね合わせて支持台を扁平な形態にするとともに、前側板部上にカレンダーを載置してそのカレンダーを一対の扉片部で抱持するようにすることにより、卓上カレンダー全体を嵩張らないように流通・配布することができるとともに、流通・配布の際にカレンダーが勝手に捲れないようにすることができる。
【００１５】
また、支持台は、中央折曲線に沿って二つ折りに折り畳まれる状態と平坦に展開される状態とを切り替え可能な底板部と、底板部に連設され、底板部が平坦に展開された状態のときにその底板部に対し所定の鋭角を成して起立されて上辺部同士が突き合わされる前側板部および後側板部と、底板部の一部を所定形状に切り込むことで形成され、底板部が平坦に展開された状態のときに中央折曲線を横切るようにその底板部に対し起立可能なフラップ片部とを備えてなり、底板部を平坦な状態に展開し、その底板部に対し所定の鋭角を成し、かつ上端部同士を突き合せるように前側板部および後側板部をそれぞれ起立させて支持台を三角筒状の形態にするとともに、平坦に展開された状態の底板部に対しフラップ片部を起立させるようにすることにより、平坦な状態にある底板部が自身の弾性復元力によって中央折曲線に沿って折り畳まれようとする動きに対してフラップ片部が抵抗として働き、底板部を平坦な状態に維持することができて、三角筒状に組み立てられた支持台の形態を確実に保つことができる。
【図面の簡単な説明】
【００１６】
【図１】本発明の一実施形態に係る卓上カレンダーの折畳状態の全体斜視図である。
【図２】同卓上カレンダーの組立状態図を示す図で、（ａ）は前方斜視図、（ｂ）後方斜視図である。
【図３】同卓上カレンダーにおける支持台を示す図で、（ａ）は展開図、（ｂ）フラップ片部が起立状態にある要部側面図である。
【図４】カレンダーの構成を説明する図で、シート表面を手前側に向けて位置をずらして並べた状態図である。
【図５】カレンダーの構成を説明する図で、法事シールシートを除きその他のシート裏面を手前側に向けて位置をずらして並べた状態図である。
【図６】表紙シートを示す図で、（ａ）は表面側、（ｂ）裏面側である。
【図７】暦シートの代表例として８月の暦シートを示す図で、（ａ）は表面側、（ｂ）は裏面側である。
【図８】法事シールシートを示す図である。
【発明を実施するための形態】
【００１７】
次に、本発明による卓上カレンダーの具体的な実施の形態について、図面を参照しつつ説明する。
【００１８】
＜卓上カレンダーの概略説明＞
図１並びに図２（ａ）に示される卓上カレンダー１は、図１に示されるように全体が嵩張らないように折畳状態で流通・配布され、この折畳状態から図２（ａ）に示されるような組立状態に変化させて、例えば机やテーブル等の上に載置して使用される。図２（ａ）の組立状態における卓上カレンダー１は、自立可能な支持台２にリング状の綴じ具３を介してカレンダー４が取り付けられて構成されている。
【００１９】
＜支持台の説明＞
支持台２は、厚紙シートに対し所定の打抜き加工を施すことによって作製される所定形状のブランクシートに対し所定の折り曲げ操作を行うことによって組み立てられるものである。図３（ａ）に示されるように、この支持台２を構成するブランクシートは、長方形状の底板部１０と、底板部１０における一対の長辺側に折曲線１１，１２を介して連設される前側板部１３および後側板部１４とを備えて構成されている。
【００２０】
底板部１０における２本の折曲線１１，１２の中央部分には、中央折曲線１５が設けられており、中央折曲線１５によって二等分されるそれぞれの部分１０ａ，１０ｂを互いに内向きに重ね合わせるように底板部１０をその中央折曲線１５に沿って折り曲げて折り畳むと、支持台２は、図１に示されるように、後側板部１４上に前側板部１３を重ね合わせた状態に折り畳まれる。
【００２１】
図１に示されるように、折り畳まれた状態にある支持台２における底板部１０の中央折曲線１５に沿って折り曲げられた部分を、後述する扉片部２４，２５を開いた状態あるいは取り外した状態（図示省略）で、外側から図１中記号「Ｐ」で示される白抜き矢印方向に押すと、中央折曲線１５によって二等分されるそれぞれの部分１０ａ，１０ｂが展開されて平坦な底板部１０が形成されるとともに、図２（ａ）に示されるように、前側板部１３および後側板部１４の上辺部同士が突き合わされて、三角筒状に折り曲げ形成された支持台２が組み立てられる。
【００２２】
図３（ａ）に示されるように、底板部１０には、中央折曲線１５上に中心点を有する半円状の一対の切込１６が形成されている。一対の切込１６は、所定の中心間距離を隔てて互いに内向きに凸状に配されている。各切込１６の両端を繋ぐように中央折曲線１５を横切る折曲線１７が設けられ、切込１６と折曲線１７によってフラップ片部１８が区画形成されている。
図３（ｂ）に示されるように、底板部１０が平坦な状態において、各フラップ片部１８を起立させるように折曲線１７に沿って折り曲げると、中央折曲線１５を横切るように起立された各フラップ片部１８は、平坦な状態にある底板部１０が自身の弾性復元力によって中央折曲線１５に沿って折り畳まれようとする動きに対して抵抗として働き、底板部１０を平坦な状態に維持する役目をする。こうして、三角筒状に組み立てられた支持台２の形態を確実に保つことができる。
【００２３】
図３（ａ）に示されるように、前側板部１３における起立時に上辺部となる側辺部には、複数の取付孔１９が形成されるとともに、後側板部１４における起立時に上辺部となる側辺部には、前側板部１３における複数の取付孔１９に対応するように複数の取付孔１９が形成されている。後側板部１４上に前側板部１３を重ね合わせた状態（図１参照）において、両側板部１３，１４における複数の取付孔１９を通してカレンダー１４を綴じた状態で綴じ具３がそれら側板部１３，１４に取り付けられている。
【００２４】
後側板部１４の左側には、内側折曲線２１、帯状板部２２および外側折曲線２３を介して第１の扉片部２４が連設されるとともに、後側板部１４の右側には、内側折曲線２１、帯状板部２２および外側折曲線２３を介して第２の扉片部２５が連設されている。
第１の扉片部２４と第２の扉片部２５とは観音開き構造で、第１の扉片部２４には切込２６が形成される一方、第２の扉片部２５にはその切込２６に対応するように舌状部２７が形成され、第１の扉片部２４と第２の扉片部２５とを閉じ、舌状部２７を切込２６に差し込むことでその閉じ状態が保持されるようになっている。さらに、その閉じ状態をより安定的に維持するために、舌状部２７の両側部には、切込２６の両端に係合する一対の切欠２８が形成されている。
これら扉片部２４，２５は、後側板部１４上に重ね合わされた前側板部１３上に載置されたカレンダー４を抱持し（図１参照）、卓上カレンダー１の流通・配布の際にカレンダー４が勝手に捲れないようにカレンダー４を保持する役目をする。
【００２５】
ここで、後側板部１４と帯状板部２２との境界に設けられる内側折曲線２１上には、当該内側折曲線２１に沿って図示されないミシン目が形成されており、図２（ａ）に示されるような組立状態とする際には、予めそのミシン目に沿って帯状板部２２を切り離し、後側板部１４に対し扉片部２４，２５を取り外す。
【００２６】
なお、支持台２としては、上記構造に限定されるものではなく、自立可能でカレンダー４を支えることができれば既知の構造のものを採用してもよい。
【００２７】
＜カレンダーの説明＞
図４に示されるように、カレンダー４は、表紙シート３１と、複数（本例では１５枚）の暦シート３２と、法事シールシート３３とを備えて構成されている。カレンダー４においては、表紙シート３１が一番手前に配され、次に複数の暦シート３２が月の昇順に並ぶように配され、最後に法事シールシート３３が配されている。いずれのシート３１，３２，３３も、矩形状に切り出された厚紙に対しその表面および／または裏面に所定の印刷が施されてなるものであり、各シート３１，３２，３３の上辺部には、綴じ具３により綴じて支持台２に支持させるための支持孔３４が形成されている。
なお、表紙シート３１が本発明の「第１のシート」に相当し、暦シート３２が本発明の「第２のシート」に相当する。
【００２８】
＜表紙シートの説明＞
表紙シート３１は、カレンダー４の表紙を構成するものである。
図６（ａ）に示されるように、表紙シート３１の表面には、所定の表紙デザインが描かれている。
図２（ｂ）、図５および図６（ｂ）に示されるように、表紙シート３１の裏面には、葬儀の前または後において必要とされる死亡に伴う届け出・諸手続き（以下、「葬儀前後の諸手続き等」と略称する。）の一覧が掲載されている。
ここで、葬儀前後の諸手続き等としては、例えば、死亡届や、死体火・埋葬許可申請、年金受給停止の手続など合計３２項目があり、表紙シート３１の裏面において、左半分および右半分のそれぞれに１６項目ずつ上下に箇条書きに並べられている。
【００２９】
図６（ｂ）に示される表紙シート３１の裏面において、葬儀前後の諸手続き等を示す各項目の左側には、チェック欄３５が設けられている。これにより、届け出や手続等が完了した否かの状況を管理することができる。また、表紙シート３１の裏面において、葬儀前後の諸手続き等を示す各項目の右側には、各項目に関する具体的な情報が何月の暦シート３２に掲載されているかを示す月番号３６が掲載されている。これにより、葬儀前後の諸手続き等における特定の項目に関する情報を具体的に知りたいときに、当該情報を掲載した暦シート３２が速やかに判明するため、知りたい具体的な情報を効率良く探し出すことができる。
【００３０】
＜暦シートの説明＞
図４に示されるように、暦シート３２は、ある暦年（本例では２０１７年）の１年分の各月に応じた１２枚と、その暦年の翌年（本例では２０１８年）の１月〜３月の各月に応じた３枚との合計１５枚が設けられている。
【００３１】
図７（ａ）に示されるように、各暦シート３２の表面には、横７列（日曜日から土曜日までの７日分）、縦６列の升目３７が区画形成され、これらの升目３７内には、各月毎の１ヶ月単位の暦日と翌月の前半の一部（または前月の後半の一部）の暦日を曜日毎に示す算用数字が包含される形で升目左上コーナ部に位置するように記載されている。また、升目３７内には、大安・赤口・先勝等の六曜や、国民の祝日等が記載されるとともに、予定などをメモ書きできる空白部３８が設けられている。
【００３２】
図５および図７（ｂ）に示されるように、各暦シート３２の裏面には、表紙シート３１の裏面に掲載された葬儀前後の諸手続き等の一覧中の所定項目に関する具体的な情報、例えば届け出・手続の期限や、手続先、手続等に必要なもの、備考等が掲載されている。
【００３３】
＜法事シールシートの説明＞
図８に示されるように、法事シールシート３３は、通夜、告別式、葬儀、四十九日、初盆等の法事内容を示す文字や絵柄などを印刷した法事シール４０を、ベースシート４１上に剥離可能に貼り付けてなるものである。法事シールシート３３を設けることにより、暦シート３２における升目３７内の空白部３８に対して法事内容を手書きしなくても、空白部３８に対して法事シール４０を貼り付けるだけで、簡単に法事内容を表示することができる。例えば、図７（ａ）に示されるように、２０１７年８月１５日の升目３７内の空白部３８に初盆を示す法事シール４０を貼り付けることにより、その日が初盆であることを簡単に表示することができる。
【００３４】
＜作用効果の説明＞
本実施形態の卓上カレンダー１によれば、常日頃から見る機会のあるカレンダー４が表紙シート３１と複数の暦シート３２と法事シールシート３３とを備えてなるものとされ、葬儀の前または後において必要とされる死亡に伴う届け出・諸手続きの全体を表紙シート３１の裏面を参照することで事前に把握するとともに、暦シート３２の裏面を参照することでそれら届け出や諸手続きについての具体的な情報を確認し、加えて暦シート３２における法事の予定日に対応する升目３７内の空白部３８に所定の法事シール４０を貼り付けるように構成されているので、葬儀の前または後において必要とされる死亡に伴う届け出・諸手続きの全体を事前に家族等に認識させることができるとともに、それら届け出・諸手続きを実際に遺族等が行うときにその手引きをすることができ、加えて暦シート３２の表面に簡単に法事の予定事項を表示することができる。
【００３５】
以上、本発明の卓上カレンダーについて、一実施形態に基づいて説明したが、本発明は上記実施形態に記載した構成に限定されるものではなく、その趣旨を逸脱しない範囲において適宜その構成を変更することができるものである。
【００３６】
例えば、上記の実施形態では、支持台２に対しカレンダー４を綴じ具３で綴じて表紙シート３１や複数の暦シート３２、法事シールシート３３を捲るようにした構造のものを示したが、これに限定されるものではなく、カレンダーの暦日の表示を妨げないようにカレンダーを収納するカレンダー収納部を支持台に設け、このカレンダー収納部にカレンダーを支持させるような態様もあり得る。
また、表紙シート３１や複数の暦シート３２、法事シールシート３３を切り離し可能なミシン目を介して冊子形式に纏めた構造のカレンダーを採用して、該カレンダーを支持台に支持させるような態様もあり得る。
【産業上の利用可能性】
【００３７】
本発明の卓上カレンダーは、葬儀の前または後において必要とされる死亡に伴う届け出・諸手続きの全体を事前に家族等に認識させることができるとともに、当該届け出・諸手続きを実際に遺族等が行うときにその手引きをすることができるという特性を有していることから、カレンダーとしての用途に用いることができるのは勿論のこと、葬儀の前または後において必要とされる死亡に伴う届け出・諸手続きの手引書としての用途に好適に用いることができ、産業上の利用可能性が大である。
【符号の説明】
【００３８】
１      卓上カレンダー
２      支持台
３      綴じ具
４      カレンダー
１０    底板部
１３    前側板部
１４    後側板部
１５    中央折曲線
１８    フラップ片部
２４    第１の扉片部
２５    第２の扉片部
３１    表紙シート（第１のシート）
３２    暦シート（第２のシート）
３３    法事シールシート
３７    升目
３８    空白部
４０    法事シール
【図１】
2017189882.tif 000003
【図２】
2017189882.tif 000004
【図３】
2017189882.tif 000005
【図４】
2017189882.tif 000006
【図５】
2017189882.tif 000007
【図６】
2017189882.tif 000008
【図７】
2017189882.tif 000009
【図８】
2017189882.tif 000010